(57)【要約】【課題】  席次表本体と、表紙をー体に設けると共に、席次表本体の出席者の氏名や座席配置を見易くする。【解決手段】  第１の折り目２ｃを介して折り畳み可能な席次表本体２と、該席次表本体２の外側に配置され第２の折り目３ｃを介して折り畳み可能な表紙３と、円弧状の折り返し部５ａをほぼ中央に形成すると共に一端側５ｂ及び他端側５ｃを設けた略コ字形の挟持体５とを備える。第１の折り目２ｃの外側に前記第２の折り目３ｃを配置するように席次表本体２の外側に表紙３を設け、折り返し部５ａを第１の折り目の端又は第２の折り目の端側に設け一端側５ｂを第１の折り目２ｃの内側に設けると共に他端側５ｃを第２の折り目３ｃの外側に設ける。挟持体５により前記席次表本体２と前記表紙３を一体的に設けたことにより、席次表本体２、表紙３を一体にしておくことができる。【選択図】図１
0003106930.tif 000002
【実用新案登録請求の範囲】
【請求項１】
第１の折り目を介して折り畳み可能な席次表本体と、該席次表本体の外側に配置され第２の折り目を介して折り畳み可能な表紙と、円弧状の折り返し部をほぼ中央に形成すると共に一端側及び他端側を設けた略コ字形の挟持体とを備え、前記第１の折り目の外側に前記第２の折り目を配置するように席次表本体の外側に前記表紙を設け、前記折り返し部を前記第１の折り目の端又は前記第２の折り目の端に設け前記一端側を前記第１の折り目の内側に設けると共に前記他端側を前記第２の折り目の外側に設けて、前記挟持体により前記席次表本体と前記表紙を一体的に設けたことを特徴とする披露宴用席次表。
【請求項２】
前記一端側及び前記他端側をほぼ平行に設けたことを特徴とする請求項１記載の披露宴用席次表。
【請求項３】
前記一端側の長さは前記第１の折り目の長さより短く形成され、前記他端側の長さは前記第１の折り目の長さとほぼ同じ長さに形成されることを特徴とする請求項１又は２記載の披露宴用席次表。
【請求項４】
前記一端側は断面が矩形に形成されると共に、前記第２の折り目は両側を内側に折曲した断面コ字型に形成され、かつ該第２の折り目に前記第１の折り目を介して前記一端側を嵌合することを特徴とする請求項１〜３のいずれか１項に記載の披露宴用席次表。
【請求項５】
前記一端側及び前記他端側の間には隙間が形成されると共に、該隙間は前記折り返し部より先端側に次第に狭く形成されることを特徴とする請求項１〜４のいずれか１項に記載の披露宴用席次表。
【請求項６】
前記折り返し部に装飾具を設けることを特徴とする請求項１〜５のいずれか１項に記載の披露宴用席次表。
【請求項７】
前記装飾具は前記折り返し部に吊り下げられることを特徴とする請求項６記載の披露宴用席次表。
【請求項８】
円弧状の折り返し部をほぼ中央に形成すると共に一端側及び他端側を設けた略コ字形の挟持体からなる披露宴用席次表の連結金具。
【考案の詳細な説明】
【技術分野】
【０００１】
本考案は、結婚、就任など広く発表する宴会等の披露宴用席次表及びその連結金具に関するものである。
【背景技術】
【０００２】
従来、結婚式の披露宴の出席者には、披露宴プログラム、席次表、披露宴メニュー等の内容を記載した印刷紙が別葉として配布されることが多かった（例えば、特許文献１）。
このようなものにおいては、紛失などを防ぐためにそれぞれの紙に折り目を形成し、そして相互に折り目を合わせた後にホッチキス（ステープラ）を利用して、その針で数カ所固定しているものであった。
【特許文献１】実用新案登録第３１０１１２４号公報
【考案の開示】
【考案が解決しようとする課題】
【０００３】
しかし、針で紙の数カ所を固定してものにおいては、席次表の氏名や役職、或いは姻戚関係などの表示に針がかかって、披露宴の席次表としては見苦しくなってしまうという問題があった。
【０００４】
解決しようとする問題点は、披露宴用席次表において、席次表本体と、表紙をー体に設けると共に、席次表本体の出席者の氏名や座席配置を見易くする点である。
【課題を解決するための手段】
【０００５】
請求項１の考案は、第１の折り目を介して折り畳み可能な席次表本体と、該席次表本体の外側に配置され第２の折り目を介して折り畳み可能な表紙と、円弧状の折り返し部をほぼ中央に形成すると共に一端側及び他端側を設けた略コ字形の挟持体とを備え、前記第１の折り目の外側に前記第２の折り目を配置するように席次表本体の外側に前記表紙を設け、前記折り返し部を前記第１の折り目の端又は前記第２の折り目の端に設け前記一端側を前記第１の折り目の内側に設けると共に前記他端側を前記第２の折り目の外側に設けて、前記挟持体により前記席次表本体と前記表紙を一体的に設けたことを特徴とする披露宴用席次表である。
【０００６】
請求項２の考案は、前記一端側及び前記他端側をほぼ平行に設けたことを特徴とする請求項１記載の披露宴用席次表である。
【０００７】
請求項３の考案は、前記一端側の長さは前記第１の折り目の長さより短く形成され、前記他端側の長さは前記第１の折り目の長さとほぼ同じ長さに形成されることを特徴とする請求項１又は２記載の披露宴用席次表である。
【０００８】
請求項４の考案は、前記一端側は断面が矩形に形成されると共に、前記第２の折り目は両側を内側に折曲した断面コ字型に形成され、かつ該第２の折り目に前記第１の折り目を介して前記一端側を嵌合することを特徴とする請求項１〜３のいずれか１項に記載の披露宴用席次表である。
【０００９】
請求項５の考案は、前記一端側及び前記他端側の間には隙間が形成されると共に、該隙間は前記折り返し部より先端側に次第に狭く形成されることを特徴とする請求項１〜４のいずれか１項に記載の披露宴用席次表である。
【００１０】
請求項６の考案は、前記折り返し部に装飾具を設けることを特徴とする請求項１〜５のいずれか１項に記載の披露宴用席次表である。
【００１１】
請求項７の考案は、前記装飾具は前記折り返し部に吊り下げられることを特徴とする請求項６記載の披露宴用席次表である。
【００１２】
請求項８の考案は、円弧状の折り返し部をほぼ中央に形成すると共に一端側及び他端側を設けた略コ字形の挟持体からなる披露宴用席次表の連結金具である。
【考案の効果】
【００１３】
請求項１の考案によれば、席次表本体、表紙を一体にしておくことができ、テーブル上面等が煩雑になるようなことなく、さらに席次表本体を開いたときに挟持体が座席配置に重なっても、挟持体を移動したり抜くことにより座席配置を確実に視認することができ、さらに、挟持体の折り返し部は円弧状であるので、とがっておらず安心して手に取ることができる。しかも使用後においては本のしおり等としても利用できる。
【００１４】
請求項２の考案によれば、席次表本体、表紙への差し込み、抜き出しを容易に行うことができる。
【００１５】
請求項３の考案によれば、席次表本体の内側においてはその上方側を内側に折りたたみやすくなり、一方、表紙の第２の折り目の外側全長を確実に保持することができる。
【００１６】
請求項４の考案によれば、第２の折り目に第１の折り目を介して一端側を嵌合することにより、表紙と席次表本体とを確実に連結することができる。
【００１７】
請求項５の考案によれば、隙間は折り返し部より先端側に次第に狭く形成されることによって、先端側のバネ力を確保して表紙と席次表本体とを確実に連結することができる。
【００１８】
請求項６の考案によれば、席次表の装飾性を向上すると共に、挟持体をしおり等として利用したときにも装飾性を向上することができる。
【００１９】
請求項７の考案によれば、席次表において常時吊り下げられており、いっそうの装飾性を向上することができる。
【００２０】
請求項８の考案によれば、席次表において自由に差し込み、抜き出しすることができると共に、挟持体の折り返し部は円弧状であるので、とがっておらず安心して手に取ることができる。
【考案を実施するための最良の形態】
【００２１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２２】
本考案の一実施例を図を参照して説明する。図中１は結婚式の披露宴用席次表であり、この席次表１は、少なくとも披露宴の出席者の氏名１ａと座席配置１ｂが内側に記載された矩形状の内紙となる席次表本体２と、前記席次表本体２の縦向辺２ａ長さの略１／２の縦向辺３ａ長さを有する表紙３とを、各々の横向辺２ｂ，３ｂの中央部に縦方向に形成した第１の折り目２ｃ及び第２の折り目３ｃで結合して製作される。そして、席次表本体２の他の面、すなわち図に示す裏面２ｄには、披露宴会場の全景写真や披露宴用メニュー等が記載されている。尚、席次表本体２には上部の横向辺３ｂの先端に対応して横向き折り目２ｅが形成されている。また、表紙３には質感に富んだ幾分厚みのある洋紙を用いると、丈夫で見た目にも高級感のある席次表１を実現することができる。
【００２３】
さらに、席次表本体２と表紙３との間に、披露宴プログラム、披露宴メニュー等を記載した中間の紙４を設ける。この中間の紙４は表紙３とほぼ同じ形状をなしており、横向辺４ｂの中央部に縦方向に形成した第３の折り目３ｃを第１及び第２の折り目２ｃ，３ｃと合わせて結合される。尚、図２においては重ね合せた席次表本体２と表紙３と中間の紙４を多少ずらして図示している。
【００２４】
前記第１〜３の折り目２ｃ，３ｃ，４ｃを結合する挟持体５は、鉄など金属製の断面が矩形の線材を２つ折りするように円弧状の折り返し部５ａをほぼ中央に形成すると共に何れも直線辺状の一端側５ｂ及び他端側５ｃを設けた略コ字形である。一端側５ｂ及び他端側５ｃは一方及びこれに対向する他方の挟持部を形成するものである。この略コ字形には折り返し部５ａが円弧状の略Ｕ字型を含むものであり、一端側５ｂ及び前記他端側５ｃを間隔ｘをおいてほぼ平行に設けている。さらに前記一端側５ｂ及び前記他端側５ｃの間にはわずかな隙間ｘが形成されると共に、該隙間ｘは前記折り返し部５ａより一端側５ｂ及び前記他端側５ｃの先端側に次第に狭く形成されている。また折り返し部５ａ側の隙間ｘは被挟持物、つまり第１〜第３の折り目２ｃ，３ｃ，４ｃの合計にほぼ等しく、一方一端側５ｂ及び前記他端側５ｃの先端側は密着している。そして、間隔ｘは第１〜３の折り目２ｃ，３ｃ，４ｃの合計よりやや狭いかほぼ同じ間隔に形成されている。また、一端側５ｂの長さｙは第１の折り目２ｃの長さ（下側の横向辺２ｂから横向き折り目２ｅまで）より短く形成され、他端側５ｃの長さｚは第１の折り目の長さ２ｃ、ひいては第２の折り目３ｃ又は第３の折り目４ｃとほぼ同じ長さに形成されている。また、折り返し部５ａには、ペンダントのような装飾具６を折り返し部５ａにチェーンのような連結部材６ａを介して吊り下げられている。尚、装飾具６としては、結婚式当日に縁のある星座などをあらわしたペンダント風のもの、或いはリング状のもの、或いはキーホルダー状のものが用いられる。
【００２５】
しかも、図６に示すように前記挟持体５の一端側５ａは断面が矩形に形成されると共に、前記第２の折り目３ａは両側を内側に折曲した断面コ字型に形成され、かつ該第２の折り目３ａに前記第１の折り目２ａを介して前記一端側５ｂを嵌合するようになっている。尚、第２の折り目３ａの両側を内側に折曲した断面コ字型の内幅（図６における左右方向の幅）は、一端側５ｂの幅（図６における左右方向の幅）と、被挟持物の厚み、すなわち第１、第３の折り目２ｃ，４ｃの厚みを２倍したものを加えた数値とほぼ値とほぼ等しい値となっている。
【００２６】
次に、席次表本体２を横向き折り目２ｅに沿って二つに折り曲げると、図３の状態になる。ここで、この状態では、席次表本体２の裏面２ｄに印刷されたものがあらわれることになる。ここで、図１に示すように、席次表本体２を横向き折り目２ｅを介して二つ折りにした後に、席次表本体２の外側に中間の紙４、さらには表紙３を設ける。この際、第１〜３の折り目２ｃ，３ｃ，４ｃを重ね合せ、そして該箇所に挟持体５を差し込んで席次表本体２、中間の紙４及び表紙３を一体に設けるものである。この際、折り返し部５ａは、第１〜３の折り目２ｃ，３ｃ，４ｃの揃えられた端ｅに係止するか近くに配置され、一端側５ｂは第１の折り目２ｃの内側に配置されると共に、他端側５ｃは第２の折り目３ｃの外側に配置されて、一端側５ｂ及び他端側５ｃ間の挟持力により席次表本体２、中間の紙４及び表紙３を保持するものである。
【００２７】
したがって、席次表本体２を第１の折り目２ｃを介して左右に開き、さらに横向き折り目２ｅを介して上下に開いて披露宴の出席者の氏名１ａと座席配置１ｂを視認することができる。この際、例えば席次表本体２にある座席配置１ｂのうち、中央下側にあるものが見にくいときには、挟持体５を左右に多少移動して座席配置１ｂを視認することができるようにする。或いは挟持体５を席次表本体２側より抜き出して座席配置１ｂを視認することができるようにする。
【００２８】
披露宴終了後において、持ち帰った結婚式用席次表１より出席者は挟持体５を抜き出して、本のしおリとして使用するものである。
【００２９】
以上のように、前記実施例では第１の折り目２ｃを介して折り畳み可能な席次表本体２と、該席次表本体２の外側に配置され第２の折り目３ｃを介して折り畳み可能な表紙３と、円弧状の折り返し部５ａをほぼ中央に形成すると共に一端側５ｂ及び他端側５ｃを設けた略コ字形の挟持体５とを備え、前記第１の折り目２ｃの外側に前記第２の折り目３ｃを配置するように席次表本体２の外側に前記表紙３を設け、前記折り返し部５ａを前記第１の折り目の端又は前記第２の折り目の端ｅに設け前記一端側５ｂを前記第１の折り目２ｃの内側に設けると共に前記他端側５ｃを前記第２の折り目３ｃの外側に設けて、前記挟持体５により前記席次表本体２と前記表紙３を一体的に設けたことにより、席次表本体２、表紙３の他に中間の紙４を一体にしておくことができ、テーブル上面等が煩雑になるようなことなく、さらに席次表本体２を開いたときに挟持体５が座席配置１ｂに重なっても、挟持体５を移動したり抜くことにより座席配置１ｂを確実に視認することができ、さらに、外側にあらわれる挟持体５の折り返し部５ａは円弧状であるので、とがっておらず席次表１を安心して手に取ることができる。しかも使用後においては記念として本のしおり等としても利用できる。
【００３０】
また、挟持体５の一端側５ｂ及び他端側６ｃをほぼ平行に設けることで、席次表本体２、表紙３の他に中間の紙４への差し込み、抜き出しを容易に行うことができる。
【００３１】
さらに、挟持体５の一端側５ｂの長さｙは第１の折り目３ｃの長さより短く形成されることにより、席次表本体２の内側においては一端側５ｂの上端上方、すなわち横向き折り目２ｅを介してその上方側を内側に折りたたみやすくなり、一方他端側５ｃの長さｚは第１の折り目３ｃの長さとほぼ同じ長さに形成されることにより、表紙３の第２の折り目３ｃの外側全長を確実に保持することができる。
【００３２】
また、前記一端側５ａは断面が矩形に形成されると共に、前記第２の折り目３ａは両側を内側に折曲した断面コ字型に形成され、かつ該第２の折り目３ａに前記第１の折り目２ａを介して前記一端側５ａを嵌合することで、表紙３と席次表本体２とを確実に連結することができる。さらに、前記一端側５ｂ及び前記他端側５ｃの間には隙間ｘが形成されると共に、該隙間ｘは前記折り返し部５ａより先端側に次第に狭く形成されることにより、先端側のバネ力を確保して表紙３と席次表本体２とを確実に連結することができる。
【００３３】
また、挟持体５の折り返し部５ａに装飾具６を設けることにより、席次表１の装飾性を向上すると共に、挟持体５をしおり等として利用したときにも装飾性を向上することができる。しかも、装飾具６は前記折り返し部５ａに吊り下げられるものであるから、席次表１において常時吊り下げられており、いっそうの装飾性を向上することができる。
【００３４】
しかも、円弧状の折り返し部５ａをほぼ中央に形成すると共に一端側５ｂ及び他端側５ｃを設けた略コ字形の挟持体５からなるので、席次表１において自由に差し込み、抜き出しすることができると共に、挟持体５の折り返し部５ａは円弧状であるので、とがっておらず安心して手に取ることができる。
【産業上の利用可能性】
【００３５】
以上のように本考案にかかる披露宴用席次表は、他の場合の用途にも適用できる。また、例えば前記実施例では矩形の紙として横長のものを用いて説明したが、縦長の紙を用いることもできる。
【図面の簡単な説明】
【００３６】
【図１】本考案に係る実施例１の席次表全体の斜視図である。
【図２】本考案に係る実施例１の開いた状態の席次表の正面図である。
【図３】本考案に係る実施例１の折りたたんだ状態の席次表の正面図である。
【図４】本考案に係る実施例１の一部を拡大した一部切り欠き側面図である。
【図５】本考案に係る実施例１の挟持体の斜視図である。
【図６】本考案に係る実施例１の要部の断面図である。
【符号の説明】
【００３７】
１  席次表
２  席次表本体
２ｃ  第１の折り目
３  表紙
３ｃ  第２の折り目
５  挟持体
５ａ  折り返し部
５ｂ  一端側
５ｃ  他端側
【図１】
0003106930.tif 000003
【図２】
0003106930.tif 000004
【図３】
0003106930.tif 000005
【図４】
0003106930.tif 000006
【図５】
0003106930.tif 000007
【図６】
0003106930.tif 000008